(57)【要約】      （修正有）【課題】スクロールの際に所望する位置に、迅速に移動できるユーザインターフェース構成方法を提供する。【解決手段】少なくとも１つ以上の行と列を含んで複数のデータの情報を含むことができるように構成されたグリッドに対する表示条件を設定する段階と、スクロールバーの移動時に設定された表示条件によって複数のデータの情報を含むデータリストを表示する段階とを含み、表示条件は、スクロールバーの移動時にユーザインターフェース１００上に表示されるグリッドの形態又はグリッド内で活性化される区間を設定するためのものであり、グリッドの形態を設定した場合、スクロールバーの移動時に予め設定された行の高さ又は単位によって動作し、グリッド内で活性化される区間を設定した場合、スクロールバーの移動時に設定された区間に対応するデータの情報のみを表示し、スクロールバーの移動が特定区間で止まると、特定区間を基準にデータリストを更新する。【選択図】図１
2019061673.tif 000002
【特許請求の範囲】
【請求項１】
ユーザインターフェースを構成する方法において、
少なくとも１つ以上の行と列を含んで複数のデータの情報を含むことができるように構成されたグリッドに対する表示条件を設定する段階と、
スクロールバーの移動時に前記設定された表示条件によって複数のデータの情報を含むデータリストを表示する段階とを含み、
前記表示条件は、スクロールバーの移動時にユーザインターフェース上に表示されるグリッドの形態又はグリッド内で活性化される区間を設定するためのものであり、
前記グリッドの形態を設定した場合、スクロールバーの移動時に予め設定された行の高さ又は単位によって動作し、
前記グリッド内で活性化される区間を設定した場合、スクロールバーの移動時に設定された区間に対応するデータの情報のみを表示し、スクロールバーの移動が特定区間で止まると、前記特定区間を基準にデータリストを更新する、ユーザインターフェース構成方法。
【請求項２】
前記グリッド内で活性化される区間を設定した場合、
最上段区間のみを活性化する第１設定モード、最上段、中間、最下段区間のみを活性化する第２設定モード、最上段及び最下段区間のみを活性化する第３設定モード、一定範囲を有する一部区間のみを活性化した状態で移動可能にする第４設定モードのうち何れか１つを基に区間を設定することを特徴とする請求項１に記載のユーザインターフェース構成方法。
【請求項３】
前記第４設定モードは、
前記スクロールバーの位置が移動することによって、それに対応して前記一定範囲を有する一部区間が移動することを特徴とする請求項２に記載のユーザインターフェース構成方法。
【請求項４】
前記複数のデータの情報を含むリスト全体のうち、現在表示中の位置は百分率又はインデックスで表示され、スクロールの移動時に前記百分率又はインデックスを基に前記ユーザインターフェース上の位置が算出されて表示されることを特徴とする請求項1に記載のユーザインターフェース構成方法。
【請求項５】
前記グリッド内で活性化される区間を設定した場合、
前記設定された区間を除外した残りの区間は非活性化して表示するか、隠した状態（ｈｉｄｄｅｎ）で処理することを特徴とする請求項１に記載のユーザインターフェース構成方法。
【請求項６】
前記活性化される区間は、
スクロールバーの移動時に１つのデータが１つの行からなる形態又は複数のサブ行が１つの行に纏められている形態を有することを特徴とする請求項１に記載のユーザインターフェース構成方法。
【発明の詳細な説明】
【技術分野】
【０００１】
本発明はユーザインターフェース構成方法に関し、より詳細には、スクロール時に速度を改善し、ユーザが資料を迅速かつ正確に検索できるようにするユーザインターフェース構成方法に関する。
【背景技術】
【０００２】
近年、スマートフォン、ＰＤＡ、スマートＰＡＤ、ネットブックなどスマート有無線端末が拡大し普及することにより、ユーザインターフェースも非常に多様に進化している状況である。大半のスマート機器は、従来の入力装置であるマウスに代わってタッチ入力によってその機能を代わりに実現している。また、近年ＨＤ（Ｈｉｇｈ  Ｄｅｆｉｎｉｔｉｏｎ）或いはＵＨＤ（Ｕｌｔｒａ  Ｈｉｇｈ  Ｄｅｆｉｎｉｔｉｏｎ）解像度をサポートする大型ディスプレイが急速に普及することにより、ディスプレイ画面に表示する情報が日増しに増加している。更に、最近スマートフォンの普及拡大に伴い、情報洪水といわれるほどユーザが接する情報の量が膨大であるのが現状である。これにより、ユーザやスマート機器においてビックデータの効率的な処理と表示に対する必要性がますます増大している状況である。
【０００３】
ユーザは、多様かつ膨大なデータのうち所望するデータにアクセスするためには、データリストが表示されているディスプレイ画面をスクロールし、所望の情報を検索する。このために、従来はスクロールバーの移動に伴い、ディスプレイ画面に表示されるデータリストもそれに対応する位置のデータリストを表示するようになっていたが、この際にスクロールバーの移動と同時にデータリスト全体が更新されるため、スクロールが移動する速度又はデータリストをロードする速度が遅くなり、データに対する迅速なアクセスが難しいという問題があった。
【０００４】
そのため、このような多様かつ膨大なデータを高解像度の大画面や携帯用スマート機器などのディスプレイ画面に表示するとき、ユーザが所望する位置に迅速かつ正確に移動できるようにし、所望するデータに容易にアクセスできるようにする技術が開発される必要がある。
【発明の概要】
【発明が解決しようとする課題】
【０００５】
そこで、本発明は上記事情に鑑みてなされたものであって、その目的は、ユーザがスクロールの動作時にユーザの所望する位置に、より迅速に移動できるようにするユーザインターフェース構成方法を提供することにある。
【０００６】
また、本発明の他の目的は、スクロールの動作時に一定区間のみを活性化して表示するようにユーザが位置情報をより容易に確認できるようにするユーザインターフェース構成方法を提供することにある。
【０００７】
本発明の目的は、以上で言及したものに制限されず、言及されていない他の目的は、以下の記載から本発明が属する技術分野における通常の知識を有する者が明確に理解できるはずである。
【課題を解決するための手段】
【０００８】
前記のような目的を達成するための本発明に係るユーザインターフェース構成方法は、少なくとも１つ以上の行と列を含んで複数のデータの情報を含むことができるように構成されたグリッドに対する表示条件を設定する段階と、スクロールバーの移動時に前記設定された表示条件によって複数のデータの情報を含むデータリストを表示する段階とを含み、前記表示条件は、スクロールバーの移動時にユーザインターフェース上に表示されるグリッドの形態又はグリッド内で活性化される区間を設定するためのものであり、前記グリッドの形態を設定した場合、スクロールバーの移動時に予め設定された行の高さ又は単位によって動作し、前記グリッド内で活性化される区間を設定した場合、スクロールバーの移動時に設定された区間に対応するデータの情報のみを表示し、スクロールバーの移動が特定区間で止まると、前記特定区間を基準にデータリストを更新する。
【発明の効果】
【０００９】
本発明によれば、ユーザがスクロールの動作時にユーザの所望する位置に、より迅速に移動できるようにするという効果を奏する。
【００１０】
また、本発明によれば、スクロールの動作時に一定区間のみを活性化して表示するようにユーザが位置情報をより容易に確認できるようにする。
【００１１】
本発明の効果は、以上で言及したものに制限されず、言及されていない更に他の効果は、以下の記載から本発明が属する技術分野における通常の知識を有する者が明確に理解できるはずである。
【図面の簡単な説明】
【００１２】
【図１】本発明の実施形態に係るユーザインターフェースの構成を示す図である。
【図２】本発明の第１実施形態によって構成されたユーザインターフェースを示す図である。
【図３】本発明の第２実施形態によって構成されたユーザインターフェースを示す図である。
【図４】本発明の第３実施形態によって構成されたユーザインターフェースを示す図である。
【図５】本発明の第４実施形態によって構成されたユーザインターフェースを示す図である。
【図６】本発明の第５実施形態によって構成されたユーザインターフェースを示す図である。
【発明を実施するための形態】
【００１３】
本発明の目的及び効果、そしてそれらを達成するための技術的構成は、添付の図面と共に詳細に後述される実施形態を参照すれば明確になる。本発明を説明する上で公知の機能又は構成に関する具体的な説明が本発明の要旨を不要に曖昧にする恐れがあると判断される場合には、その詳細な説明を省略する。そして、後述される用語は本発明における貢献を考慮して定義された用語であって、これは使用者、運用者の意図又は慣例などによって変わり得る。
【００１４】
しかし、本発明は以下で開示される実施形態に限定されるものではなく、互いに異なる多様な形態で実現されることができる。但し、本実施形態は本発明の開示を完全なものにし、本発明が属する技術分野における通常の知識を有する者に発明の範疇を完全に理解させるために提供されるものであり、本発明は 請求の範囲の範疇によって定義されるに過ぎない。従って、その定義は、本明細書全般に亘る内容に基づいて行われるべきである。  
【００１５】
本発明は、ユーザがユーザ端末に表示されているユーザインターフェースでスクロールバーを移動する際にユーザインターフェースを構成するためのものであって、スクロール時に画面の移動なしに設定された一部区間のみを活性化して表示し、スクロールの移動によってその活性化された一部区間に位置情報を表示するものである。これにより、ユーザは所望の位置でスクロールの移動を解除することによって迅速な移動が可能である。即ち、ユーザは所望するデータに速くアクセスできる。
【００１６】
このとき、スクロールバーの移動は、マウスを通じたクリック動作又はユーザのタッチ動作によるものであることもできる。しかし、これは一実施形態に過ぎず、スクロール動作を発生させる動作を全て含むことができる。
【００１７】
更に、一部区間は少なくとも１つ以上の区間が設定されることができ、また各区間も少なくとも１つ以上で構成されることができる。
【００１８】
図１は、本発明の実施形態に係るユーザインターフェースの構成を示す図である。
【００１９】
図１を参照すれば、ユーザインターフェース１００は、データ表示部１１０、区間設定部１３０及び条件設定部１５０を含む。
【００２０】
データ表示部１１０には、複数のデータに対するリストを表示する。このとき、リストはこれを構成する複数のデータのそれぞれに対する位置情報はもちろん、細部情報を含んで表示されることができる。このとき、リスト全体のうち、現在表示中の位置（位置情報）は百分率又はインデックスで表示されることができ、スクロールバーの移動によって複数のデータに対するリストを表示する際にこの位置情報を基にユーザインターフェース上の位置が算出されて表示される。
【００２１】
しかし、説明の便宜上、複数のデータを一例として説明したが、これに限定されず、データは１つ又はそれ以上になることができる。
【００２２】
また、データ表示部１１０は、垂直方向に移動可能な第１スクロール部及び水平方向に移動可能な第２スクロール部を含む。第１スクロール部及び第２スクロール部によってユーザはスクロールバーを移動し、所望するデータにアクセスできる。
【００２３】
区間設定部１３０は、ユーザがデータにアクセスするために、スクロールバーを移動する際にユーザインターフェース上に表示されるグリッドの形態及び／又はグリッド内で活性化される区間を設定するための少なくとも１つ以上の条件、即ち、少なくとも１つ以上の設定モードが表示される。ユーザは、この少なくとも１つ以上の設定モードのうち何れか１つを選択することによってスクロールバーの移動時にグリッドの形態及び／又はグリッド内で活性化される区間を設定できる。
【００２４】
この少なくとも１つ以上の設定モードは例えば、リスト全体を活性化する基本モード、最上段区間のみを活性化する第１設定モード、最上段、中間、最下段区間のみを活性化する第２設定モード、最上段及び最下段区間のみを活性化する第３設定モード、特定範囲を有する一定区間のみを活性化した状態で移動可能にする第４設定モードで構成されることができる。
【００２５】
しかし、これは一実施形態に過ぎず、ユーザ又は開発者により設定変更可能なものであって、これに限定されない。
【００２６】
条件設定部１５０は、データ表示部１１０にリストを表示するために適用され得る複数の条件を含む。このとき、リストは多数の行及び列を有するグリッド形態で表示されるが、この条件設定部１５０により設定された条件によってユーザインターフェース上に表示されるグリッドの形態又はグリッド内で活性化される区間が設定される。
【００２７】
この複数の条件は例えば、ａｕｔｏｓｉｚｉｎｇ  ｎｏｎｅ、ａｕｔｏｓｉｚｉｎｇ  ｒｏｗ、ｐｉｘｅｌｓｃｒｏｌｌ  ｏｆｆ、ｐｉｘｅｌｓｃｒｏｌｌ  ｏｎ、設定される区間、即ち、活性化される区間を単一範囲にせしめるシングルフォーマット（ｓｉｎｇｌｅ  ｆｏｒｍａｔ）又は多重範囲にせしめるマルチフォーマット（ｍｕｌｔｉ  ｆｏｒｍａｔ）などの条件で構成されることができる。即ち、設定される区間は、ユーザの条件設定により一定範囲を有することができる。
【００２８】
具体的に、ユーザがａｕｔｏｓｉｚｉｎｇｎｏｎｅに条件を設定した場合、グリッドで全ての行の高さはフォーマットで設定した値を用い、ユーザがａｕｔｏｓｉｚｉｎｇ ｒｏｗに条件を設定した場合は、グリッドで各行の高さを自動的に計算して用いる。
【００２９】
一方、ユーザがｐｉｘｅｌｓｃｒｏｌｌｏｆｆに条件を設定した場合は、グリッドスクロールバーのトラックバーを用いてスクロール時に行単位（行高さ単位）でスクロールが動作する。例えば、行の高さが２４ピクセルの場合、スクロールの移動時に行の高さと同一の２４ピクセル単位で移動する。
【００３０】
また、ユーザがｐｉｘｅｌｃｒｏｌｌｏｎに条件を設定した場合は、グリッドスクロールバーのトラックバーを用いてスクロール時、ピクセル単位でスクロールが動作する。即ち、行の高さと関係なく、スクロールの移動時に１ピクセル単位で移動する。
【００３１】
仮に、ユーザがシングルフォーマットに条件を設定した場合、スクロールバーの移動時、選択された区間設定モードにより活性化される区間は１つのデータが１つの行からなる形態を有する。
【００３２】
一方、ユーザがマルチフォーマットに条件を設定した場合、スクロールバーの移動時、選択された区間設定モードにより活性化される区間は複数のサブ行が１つの行に纏められている形態を有する。即ち、１つの行中に複数のサブ行が存在し得る。
【００３３】
しかし、これは一実施形態に過ぎず、ユーザ又は開発者により設定変更可能なものであって、これに限定されない。
【００３４】
図２は、本発明の第１実施形態によって構成されたユーザインターフェースを示す図であって、図２は、スクロールバーの移動時に最上段区間のみを活性化するようにする第１設定モードが選択されて適用された場合を示すものである。
【００３５】
図２を参照すれば、第１設定モードが適用された場合、ユーザがスクロールバーの移動時に最上段区間２０１のみを活性化して表示し、その活性化された最上段区間２０１には、移動するスクロールバーの位置に対応するデータの情報を表示する。
【００３６】
図３は、本発明の第２実施形態によって構成されたユーザインターフェースを示す図であって、図３は、スクロールバーの移動時に最上段、中間及び最下段区間のみを活性化するようにする第２設定モードが選択されて適用された場合を示すものである。
【００３７】
図３を参照すれば、第２設定モードが適用された場合、ユーザがスクロールバーの移動時に最上段区間３０１、中間区間３０３及び最下段区間３０５のみを活性化して表示し、その活性化された最上段区間３０１、中間区間３０３及び最下段区間３０５のそれぞれには、移動するスクロールバーの位置に対応するデータの情報を表示する。
【００３８】
図４は、本発明の第３実施形態によって構成されたユーザインターフェースを示す図であって、図４は、スクロールバーの移動時に最上段及び最下段区間のみを活性化するようにする第３設定モードが選択されて適用された場合を示すものである。
【００３９】
図４を参照すれば、第３設定モードが適用された場合、ユーザがスクロールバーの移動時に最上段区間４０１及び最下段区間４０３のみを活性化して表示し、その活性化された最上段区間４０１及び最下段区間４０３のそれぞれには、移動するスクロールバーの位置に対応するデータの情報を表示する。
【００４０】
図５は、本発明の第４実施形態によって構成されたユーザインターフェースを示す図であって、図５は、スクロールバーの移動時に一部区間のみを活性化するようにし、その活性化された一部区間がスクロールバーの移動によって移動可能にする第４設定モードが選択されて適用された場合を示すものである。
【００４１】
図５を参照すれば、第４設定モードが適用された場合、ユーザがスクロールバーの移動時に一部区間５０１のみを活性化して表示し、その活性化された一部区間５０１には、移動するスクロールバーの位置に対応するデータの情報を表示する。
【００４２】
前述したところによれば、第１設定モードないし第３設定モードは、活性化された区間が固定されているのに対し、第４設定モードは、活性化された区間が移動可能であるという点で差がある。第４設定モードは、スクロールバーが移動すれば、その設定された区間にはスクロールバーの位置情報に対応するデータの情報を表示する。即ち、スクロールバーが移動すれば、その移動により活性化された区間に表示されたデータの情報も変化する。しかし、活性化された区間以外の区間に表示されたデータの情報は変化せず、ユーザがスクロールバーの移動を特定位置で止めると、即ち、活性化された区間に特定データの情報が表示されたとき、スクロール動作を停止すると、その特定位置を基準にユーザインターフェースのデータ表示部１１０に表示されたデータリストが並び替えられる。
【００４３】
一方、図２ないし５では、設定される区間を１つのバー（ｂａｒ）に設定した場合について示しているが、これは一実施形態に過ぎず、その設定される区間が複数のバーを含むように即ち、一定範囲を有するように設定及び変更されることができる。
【００４４】
図６は、本発明の第５実施形態によって構成されたユーザインターフェースを示す図であって、図６は、スクロールバーの移動時に一部区間のみを活性化するようにし、その活性化された一部区間がスクロールバーの移動によって移動可能にする第４設定モードが選択されて適用された場合を示すものである。第４実施形態と類似しているが、第５実施形態は一部区間が３つのバーを含むように設定されているという点で差がある。たとえ、図６では一部区間に３つのバーを含む場合を限定して示していても、この一部区間に含まれるバーの数は、ユーザ及び開発者により設定及び変更されることができる。
【００４５】
更に、第１設定モードないし第４設定モードでも設定される区間が複数のバーを含むように即ち、複数のデータの情報を含むように設定することができる。
【００４６】
このために、ユーザは条件設定部１５０に含まれた条件を選択することにより、設定される区間に含まれるバーの数をシングル又はマルチに設定することができる。
【００４７】
一方、前述した本発明において、設定された一部区間が１つのバーを含むように構成された形態を示したが、これは一実施形態に過ぎず、ユーザの設定によって設定された一部区間のそれぞれが複数のバーを含むように構成されることもできる。
【００４８】
また、図２ないし図６では、活性化された区間を除外した残りの区間が非活性化されるものとして示したが、これに限定されず、その残りの区間は見えないように隠した状態（ヒドゥン、ｈｉｄｄｅｎ）で処理されることもできる。即ち、活性化された区間を除外した残りの区間は、非活性化又はヒドゥン処理されて活性化された区間と区別されることができ、これにより非活性化又はヒドゥン処理された区間に表示されたデータの情報は変化させることなく、活性化された区間に表示されたデータの情報のみを変化させることによって、スクロールバーの移動によって読み込まなければならないデータの量が顕著に減少する。ユーザがスクロールバーの移動を停止した場合にのみ該当区間を基準にデータを並び替えればよいので、ユーザの所望するデータをより速くサーチできるだけでなく、迅速なアクセスも可能になる。
【００４９】
本明細書と図面には本発明の好適な実施形態について開示されており、たとえ特定用語が用いられていても、これは単に本発明の技術内容を容易に説明し、発明の理解を促進するための一般的な意味として用いられたものであって、本発明の範囲を限定しようとするものではない。ここに開示された実施形態以外にも本発明の技術的思想に基づいた他の変形例が実施可能であるということは本発明が属する技術分野における通常の知識を有する者に自明である。
【図１】
2019061673.tif 000003
【図２】
2019061673.tif 000004
【図３】
2019061673.tif 000005
【図４】
2019061673.tif 000006
【図５】
2019061673.tif 000007
【図６】
2019061673.tif 000008